(57)【特許請求の範囲】
【請求項１】
光学像を電気信号に変換する撮像素子を設けたベースと、
上記撮像素子上に光学像を結像する第１の光学系およびこの第１の光学系とは独立かつ異なる光軸を持って上記撮像素子上に光学像を結像する第２の光学系を保持する保持手段とを備え、
上記ベースに対して上記保持手段を移動させて上記第１の光学系と上記第２の光学系を切り替える撮像装置において、
上記ベースは、上記撮像素子を露出させるために設けられた開口部を周回して設けられた第１摺動面とそれに略直角をなす第２摺動面とを備え、
上記保持手段は、上記ベースの上記第１摺動面と上記第２摺動面とのそれぞれに密着する第１当接面と第２当接面とを備え、
前記保持手段を、上記第１摺動面および上記第２摺動面に密着する方向に付勢する付勢手段をさらに備えたことを特徴とする撮像装置。
【請求項２】
上記ベースの上記第１摺動面が、上記開口部の３辺の周囲に形成され、上記第２摺動面が、上記開口部の残る１辺に沿った上記ベースの側面に形成されたことを特徴とする請求項１記載の撮像装置。
【請求項３】
上記保持手段の移動方向に延在して上記保持手段に挿通された主軸をさらに備え、
上記付勢手段は、上記主軸を、上記保持手段が上記第１摺動面および上記第２摺動面に押圧される方向に付勢することを特徴とする請求項２記載の撮像装置。
【請求項４】
上記ベースの上記開口部の外縁が、上記第１摺動面よりも突出するように形成されていることを特徴とする請求項２記載の撮像装置。
【発明の詳細な説明】
【０００１】
【発明の属する技術分野】
本発明は、複数の光学系を切り替える撮像装置に関するものであり、特に携帯電話や携帯パソコンなどの携帯情報機器に使用される小型の撮像装置に適した撮像装置に関するものである。
【０００２】
【従来の技術】
図１３ないし図１５は従来の撮像装置を説明する図であり、例えば特開平１０−２６２１６７号公報に記載されたものである。図１３は従来の撮像装置においての光学系切り替え動作を説明する斜視図、図１４は図１３の保持ユニット２０の駆動機構の分解斜視図、図１５は図１３の光学系８１，８２，８３および保持ユニット２０ならびに図１４の駆動機構を収納するカメラブロックケースの分解斜視図である。
【０００３】
図１３において、８１は撮像レンズ８１ａ，８１ｂ，８１ｃによって構成される第１の光学系、８２は撮像レンズ８２ａ，８２ｂ，８２ｃによって構成される第２の光学系、８３は撮像レンズ８３ａ，８３ｂによって構成される第３の光学系、２は撮像素子、２０は保持ユニットである。例えば、第２の光学系８２が標準画角に設定されていたとすると、第１の光学系８１はより広角に設定されており、第３の光学系８３はより望遠に設定されている。撮像素子２は、保持ユニット２０に保持されており、第１の光学系８１、第２の光学系８２、または第３の光学系８３によって結像された光学像を電気信号に変換する。
【０００４】
図１４において、２０ａは保持ユニット２０の被駆動片、２０ｂは保持ユニット２０のガイド穴、２７は圧電アクチュエータ、３０は駆動棒、３１は基台、３１ａ，３１ｂは基台３１の保持部、３２はシャフトである。シャフト３２は、保持部３１ａ，３１ｂに保持され、ガイド穴２０ｂに挿通される。駆動棒３０は、その端部に圧電アクチュエータ２７が設けられ、被駆動片２０ａに当接している。
【０００５】
図１５において、カメラブロックケースは、底板３５と、側板３６，３７と、天板（図示せず）と、３つの開口部３３ａ，３３ｂ，３３ｃを備えた前面板３３と、背面板３４、３つの開口部３８ａ，３８ｂ，３８ｃを備えた仕切り板３８とによって構成されている。このカメラブロックケース内において、前面板３３と仕切り板３８の間に光学系８１〜８３が収納され、仕切り板３８と背面板３４の間に保持ユニット２０ならびに図１４の駆動機構が収納される。
【０００６】
図１３ないし図１５の従来の撮像装置の動作について以下に説明する。撮像素子２が第２の光学系８２に対向する位置（図１のＰ２）にあり、ユーザが画角を広角側に変更するためにスイッチ（図示せず）などを操作すると、圧電アクチュエータ２７が駆動され、図１４の駆動機構によって保持ユニット２０が図１３のＡ方向に駆動され、撮像素子２が第１の光学系８１に対向する位置（図１のＰ１）に移動し、第１の光学系８１から入射した光学像が撮像素子２上に結像する。また、ユーザが画角を望遠側に変更するためにスイッチ（図示せず）などを操作すると、圧電アクチュエータ２７が駆動され、図１４の駆動機構によって保持ユニット２０が図１３のＢ方向に駆動され、撮像素子２が第３の光学系８３に対向する位置（図１のＰ３）に移動し、第３の光学系８３から入射した光学像が撮像素子２上に結像する。
【０００７】
【発明が解決しようとする課題】
しかしながら上記従来の撮像装置においては、撮像素子と光学系を保持する保持手段との間に間隙があるので、撮像素子上への塵埃などの異物の進入が避けられない。撮像素子は撮像エリアに複数の画素を数１０ミクロンピッチで配列したものであり、この撮像エリア面上にゴミや塵埃などの異物が存在すると、画像に大きな影響を与え、画像を劣化させる。
【０００８】
撮像素子上への異物の進入を防止するためには、カメラブロック全体を密閉構造にするなどの防塵対策が必要になる。しかし、一般に操作スイッチ類の隙間や、ケースの嵌合部を防塵構造とするには、コストがかかり、装置の小型化が困難になる。
【０００９】
本発明は、このような従来の課題を解消するためになされたものであり、小型かつ簡単な構成で、撮像素子上への塵埃などの異物の進入を防止することができる光学系切り替え式の撮像装置を提供することを目的とするものである。
【００１０】
【課題を解決するための手段】
本発明の請求項１記載の撮像装置は、
光学像を電気信号に変換する撮像素子を設けたベースと、
上記撮像素子上に光学像を結像する第１の光学系およびこの第１の光学系とは独立かつ異なる光軸を持って上記撮像素子上に光学像を結像する第２の光学系を保持する保持手段とを備え、
上記ベースに対して上記保持手段を移動させて上記第１の光学系と上記第２の光学系を切り替える撮像装置において、
上記ベースは、上記撮像素子を露出させるために設けられた開口部を周回して設けられた第１摺動面とそれに略直角をなす第２摺動面とを備え、
上記保持手段は、上記ベースの第１摺動面と第２摺動面とのそれぞれに密着する第１当接面と第２当接面とを備え、
前記保持手段を、上記第１摺動面および上記第２摺動面に密着する方向に付勢する付勢手段をさらに備えた
ことを特徴とする。
【００１１】
請求項２記載の撮像装置は、請求項１において、上記ベースの第１摺動面が、上記開口部の３辺の周囲に形成され、第２摺動面が、上記開口部の残る１辺に沿った上記ベースの側面に形成されたことを特徴とする。
【００１２】
請求項３記載の撮像装置は、請求項２において、上記保持手段の移動方向に延在して上記保持手段に挿通された主軸をさらに備え、上記付勢手段が、上記主軸を、上記保持手段が上記第１摺動面および上記第２摺動面に押圧される方向に付勢することを特徴とする。
【００１３】
請求項４に記載の撮像装置は、請求項２において、上記ベースの上記開口部の外縁が、上記第１摺動面よりも突出するように形成されていることを特徴とする。
【００１４】
【発明の実施の形態】
図１および図２は本発明の実施の形態の撮像装置の構成を説明する分解斜視図であり、図１は上面からの分解斜視図、図２は下面からの分解斜視図である。また、図３は図１および図２の保持手段５の構成を説明する分解斜視図である。さらに、図４および図５は本発明の実施の形態の撮像装置の外観斜視図であり、図４は保持手段５がその移動ストロークの＋Ｘ側の端に位置したときの外観斜視図、図５は保持手段５がその移動ストロークの−Ｘ側の端に位置したときの外観斜視図である。
【００１５】
図１ないし図５において、１はベースであり、このべース１において、１ａ，１ｂはＵ溝、１ｃは側壁面、１ｄ，１ｅは溝、１ｆは係止凸部、１ｇ，１ｈは壁面、１ｉはベース１の表面、１ｊはべース１の側面である。また、２は撮像素子、３は撮像素子２を位置決めする位置決め部材である。また、４は主軸、４ａ，４ｂは主軸４の端部である。また、５は保持手段であり、この保持手段５において、５ａは挿通穴、５ｂは第１の開口部、５ｃは第２の開口部、５ｄはガイド溝、５ｅは凸部、５ｉは保持手段５の裏面、５ｊは凸部５ｅの側面である。また、６は第１の光学系であり、この第１の光学系６において、６ａは第１の対物レンズ、６ｂはプリズム、６ｃは第１のホルダである。また、７は第２の光学系であり、この第２の光学系７において、７ａは第２の対物レンズ、７ｃは第２のホルダである。また、８は板バネ、８ａは板バネの先端部、８８は板バネ８を固定するネジである。
【００１６】
また、図１ないし図５において、９はバネ、９ａ，９ｂはバネ９の腕部、９ｃはバネ９のクランク部である。１０はホルダ、１０ａ，１０ｂは主軸係止部、１０ｃ，１０ｄはバネ係止部、１０ｅは係合部である。また、１１はベース１に設けられた開口部、１１ａ，１１ｂは開口部１１の辺である。また、１２はベース１に設けられた鍔部、１２ａは鍔部１２の摺動面、１２ｂ，１２ｃは摺動面１２ａの両端のカム斜面である。また、１００はベース表面１ｉの第１摺動面、１１０はベース側面１ｊの第２摺動面、３００はベース表面１ｉの開口外縁部、５００は保持手段裏面５ｉの第１当接面、５００は保持手段凸部側面５ｊの第２当接面である。
【００１７】
［撮像素子２］
ベース１には、その裏面から表面１ｉに至るように、撮像素子２を露出させるための開口部１１が設けられている。撮像素子２は、その撮像エリア面上に結像された光学像を電気信号に変換し、その光学像の映像信号を出力する。この撮像素子２は、位置決め部材３によってベース１の裏面から開口部１１に固設される。
【００１８】
［第１の光学系６、第２の光学系７］
第１の光学系６は、第１の対物レンズ６ａと、この第１の対物レンズ６ａの光軸を略９０度折り曲げるプリズム６ｂと、対物レンズ６ａを保持する第１のホルダ６ｃとによって構成されており、第２の光学系７は、第２の対物レンズ７ａと、この第２の対物レンズ７ａを保持する第２のホルダ７ｃとによって構成されている（図３参照）。また、保持手段５には、その裏面５ｉから−Ｙ側の側面に達する第１の開口部５ｂ、およびその裏面５ｉから表面に達する第２の開口部５ｃが設けられている。第１の光学系６は、第１のホルダ６ｃが第１の開口部５ｂに保持手段５の−Ｙ側の側面から螺合するとともに、プリズム６ｂが第１の開口部５ｂに裏面５ｉ側から挿入されて固設されることによって、保持手段５に保持される。また、第２の光学系７は、第２のホルダ７ｃが第２の開口部５ｃに保持手段５の表面側から螺合することによって、保持手段５に保持される。このように、保持手段５は、第１の光学系６および第２の光学系７を保持する。
【００１９】
［主軸４］
保持手段５には、主軸４を挿通する挿通穴５ａが設けられている。また、ベース１の表面１ｉのＸ方向の両端には、壁面１ｇ，１ｈが凸設されており、これらの壁面１ｇ，１ｈには、それぞれＵ溝１ａ，１ｂが設けられている。これらのＵ溝１ａ，１ｂは、それぞれ主軸４の両端部４ａ，４ｂの軸受であり、主軸４に対し、所定の間隙を有するように、その幅および深さが設定されている。主軸４を挿通穴５ａにスライド自在に挿通した保持手段５がベース１上に載置され、主軸４の両端部４ａ，４ｂがＵ溝１ａ，１ｂにそれぞれ支持される。
【００２０】
［鍔部１２、ガイド溝５ｄ、板バネ８］
ベース１の側面１ｊには、鍔部１２が凸設されている。この鍔部１２は、開口部１１に対し、主軸４が配設される側の辺１１ａと対峙する辺１１ｂに沿って、Ｘ方向に所定長さだけ形成されている。鍔部１２の下面には、摺動面１２ａが形成され、この摺動面１２ａの両端には、所定角度のカム斜面１２ｂ，１２ｃが形成されている。カム斜面１２ｂ，１２ｃの角度は、例えば摺動面１２ａに対し、略４５度である。また、保持手段５の裏面５ｉの−Ｙ側の辺に沿って、凸部５ｅが設けられており、この凸部５ｅの側面５ｊには、ガイド溝５ｄが設けられている。このガイド溝５ｄは、＋Ｘ側の端から第１の光学系６に干渉しない位置まで、Ｘ方向に所定長さだけ形成されている。また、凸部５ｅには、板バネ８がネジ８８によって固設される（図３参照）。挿通穴５ａに挿通した主軸４の両端部４ａ，４ｂがＵ溝１ａ，１ｂにそれぞれ支持されるように、保持手段５をベース１上に載置したとき、ガイド溝５ｄは、Ｘ方向にスライド自在に鍔部１２に嵌合する。また、板バネ８の先端部８ａが鍔部１２の摺動面１２ａに当接し、鍔部１２は板バネ８によって付勢される。
【００２１】
［バネ９］
バネ９の両端には腕部９ａ，９ｂが形成されており、バネ９の中央にはクランク部９ｃが形成されている。また、べース１の表面１ｉの＋Ｙ側の辺に沿って、壁面１ｇ，１ｈに連なるように側壁面１ｃが凸設されており、この側壁面１ｃには、溝１ｄ，１ｅおよび係止凸部１ｆが設けられている。バネ９のクランク部９ｃを溝１ｅに嵌合させて係止凸部１ｆに係合させるとともに、腕部９ａ，９ｂとクランク部９ｃの間の部分を溝１ｄに嵌合させることによって、バネ９はベース１に保持される。また、ベース１に保持されるバネ９の腕部９ａ，９ｂを、保持手段５の挿通穴５ａに挿貫された主軸４の端部４ａ，４ｂにそれぞれ当接させることによって、バネ９が主軸４を付勢する。
【００２２】
［ホルダ１０］
ホルダ１０には、主軸係止部１０ａ，１０ｂ、バネ係止部１０ｃ，１０ｄ、および係合部１０ｅが形成されている。このホルダ１０は、コの字型のバネ係止部１０ｃ，１０ｄをベース１の側壁面１ｃに係合させるとともに、係合部１０ｅをベース１の溝１ｅに係合させることによって、バネ９を保持するとともに主軸４の両端部４ａ，４ｂをＵ溝１ａ，１ｂによって支持したベース１に取り付けられる。主軸係止部１０ａ，１０ｂは、主軸４がＸ方向およびＺ方向に脱落するのを防止し、バネ係止部１０ｃ，１０ｄは、バネ９がＺ方向に脱落するのを防止する。
【００２３】
［摺動面１００，１１０、当接面５００，５１０］
ベース１の表面１ｉにおいて、開口部１１の辺１１ａおよびこの辺１１ａと略直角をなす２辺からなる３辺の周囲の平面領域は、第１摺動面１００を形成している（図１参照）。また、開口部１１の辺１１ｂに沿ったベース１の側面１ｊの平面領域は、第１摺動面１００と略直角をなす第２摺動面１１０を形成している（図１参照）。保持手段５の裏面５ｉの３辺の周囲には、裏面５ｉから突出した第１当接面５００が形成されている（図２参照）。また、保持手段５の裏面５ｉの残る１辺に沿った凸部５ｅの側面５ｊの平面領域は、第１当接面５００と略直角をなす第２当接面５１０を形成している（図２参照）。保持手段５をベース１上に載置したとき、第１当接面５００は第１摺動面１００に密着し、第２当接面５１０は第２摺動面１１０に密着する。
【００２４】
［開口外縁部３００］
ベース１の表面１ｉにおいて、開口部１１の外縁には、第１摺動面１００よりも突出した開口外縁部３００が形成されている（図１参照）。なお、第１摺動面１００および第２摺動面１１０には、グリスなどの潤滑剤が塗布されており、この開口外縁部３００は、開口部１１と第１摺動面１００および第２摺動面１１０とを分離するように形成されており、上記の潤滑剤が開口部１１内に進入するのを防止する。
【００２５】
本発明の実施の形態の撮像装置は以上のように構成されており、保持手段５は、壁面１ｇに当接する位置から壁面１ｈに当接する位置までを移動ストロークとして、Ｘ方向に移動自在にベース１に保持されている。そして、保持手段５の第１当接面５００、第２当接面５１０は、上記の移動ストロークのいずれの位置においてもベース１の第１摺動面１００、第２摺動面１１０にそれぞれ密着しており、密着したまま移動する。
【００２６】
この実施の形態の撮像装置の動作について図４ないし図１２を参照して以下に説明する。図６は図４および図５においての方向Ｌからの視断図、図７は図５においての方向Ｎからの視断図、図８は図５においての方向Ｍからの視断図である。また、図９は図４においての第１の光学系６と撮像素子２の位置関係を説明する図、図１０は図５においての第２の光学系７と撮像素子２の位置関係を説明する図である。また、図１１は図４においての板バネ８と鍔部１２の位置関係を説明する図、図１２は図５においての板バネ８と鍔部１２の位置関係を説明する図である。
【００２７】
まず、バネ９の作用について説明する。図６のように、保持手段５の移動ストロークのいずれの位置においても、バネ９の両端部９ａ，９ｂがそれぞれ主軸４の両端部４ａ，４ｂをＵ方向に付勢しており、この主軸４が挿通されている保持手段５にも同じくＵ方向の付勢力が作用している。このＵ方向の付勢力の＋Ｙ方向および−Ｚ方向の分力によって、保持手段５は、移動ストロークのいずれの位置においても、＋Ｙ方向および−Ｚ方向に付勢される。この＋Ｙ方向および−Ｚ方向の付勢によって、保持手段５の第１当接面５００がベース１の第１摺動面１００に押圧されるとともに、保持手段５の第２当接面５１０がベース１の第２摺動面１１０に押圧され、移動ストロークのいずれの位置においても、第１当接面５００が第１摺動面１００に安定して密着するとができるとともに、第２当接面５１０が第２摺動面１１０に安定して密着することができる。また、上記の＋Ｙ方向および−Ｚ方向の付勢によって、移動ストロークのいずれの位置においても、ベース１に対し、保持手段５の姿勢を安定させることができる。
【００２８】
第１摺動面１００と第２摺動面１１０は連なっており、これらの摺動面は、ベース１の表面１ｉ側の開口部１１を取り囲むように形成されている。また、第１当接面５００と第２当接面５１０も連なっており、これらの当接面は、保持手段５の裏面５ｉ側の開口部５ｂ，５ｃを取り囲むように形成されている。そして、これらの摺動面とこれらの当接面との密着部は、ベース１の表面１ｉと保持手段５の裏面５ｉが対向する空間において、撮像素子２と第１の光学系６および第２の光学系７が対向する空間領域を取り囲み、この空間領域を装置の外部から遮断する。
【００２９】
次に、光学系の切り替え動作について説明する。図４のように、保持手段５がベース１の壁面１ｇに当接しているときには（移動ストロークの＋Ｘ方向の端に位置しているときには）、第１の光学系６が選択されている。
【００３０】
この保持手段５が壁面１ｇに当接している第１の光学系６の選択位置においては、図９のように、第１の光学系６は、撮像素子２と対向する位置に配置され、−Ｙ方向の被写体の光学像を第１の対物レンズ６ａによって集光し、プリズム６ｂによって光路を略９０度折り曲げ、撮像素子２上に結像させる。撮像素子２は、結像された上記−Ｙ方向の被写体の光学像を電気信号に変換し、その光学像の映像信号を出力する。
【００３１】
また、第１の光学系６の選択位置においては、図１１のように、板バネ８は、鍔部１２のカム斜面１２ｃからその法線方向であるＶ方向に反力を受け、保持手段５は、その＋Ｘ方向の分力によって＋Ｘ方向に付勢され、壁面１ｇに押圧される。この＋Ｘ方向の付勢よって、保持手段５は、Ｘ方向について安定した姿勢でかつ高い精度で位置決めされる。
【００３２】
また、第１の光学系６の選択位置においても、図６のように、保持手段５はバネ９によって＋Ｙ方向および−Ｚ方向に付勢され、第１当接面５００と第１摺動面１００が密着するとともに、第２当接面５１０と第２摺動面１１０が密着することによって、撮像素子２と第１の光学系６とが対向する空間領域は撮像装置の外部から遮断され、上記の空間領域および撮像素子２上に塵埃などの異物が侵入することがない。また、保持手段５は、Ｙ方向およびＺ方向について安定した姿勢でかつ高い精度で位置決めされる。
【００３３】
次に、図５のように、保持手段５がベース１の壁面１ｇに当接しているときには（移動ストロークの−Ｘ方向の端に位置しているときには）、第２の光学系７が選択されている。第１の光学系６から第２の光学系７に切り替えるには、保持手段５を、移動ストロークの＋Ｘ方向の端から−Ｘ方向の端に移動させ、壁面１ｇに当接させる。
【００３４】
保持手段５が＋Ｘ方向から−Ｘ方向に移動する途中においても、保持手段５は、常にバネ９によって＋Ｙ方向および−Ｚ方向に付勢されてベース１に押圧されており、第１の当接面５００、第２の当接面５１０が、それぞれ第１の摺動面１００、第２の摺動面１１０に密着したまま移動がなされるので、撮像素子２と第１の光学系６および第２の光学系７が対向する空間領域は撮像装置の外部から遮断されたままであり、上記の空間領域および撮像素子２上に塵埃などの異物が侵入することがない。また、保持手段５を安定した姿勢のまま移動させることができる。なお、保持手段５が−Ｘ方向から＋Ｘ方向に移動する場合にも同様である。
【００３５】
また、保持手段５が移動するときに、第１摺動面１００に塗布されている潤滑剤が、第１当接面５００の摺動作用によって剥離されたとしても、開口部１１の外縁に第１摺動面１００よりも突出した開口外縁部３００を形成していることによって、上記の潤滑剤が開口部１１内および撮像素子２上に到達することを阻止する。
【００３６】
図５のように、保持手段５が壁面１ｇに当接している第２の光学系７の選択位置においては、図１０のように、第２の光学系７は、撮像素子２と対向する位置に配置され、＋Ｚ方向の被写体の光学像を第２の対物レンズ７ａによって集光し、撮像素子２上に結像させる。撮像素子２は、結像された上記＋Ｚ方向の被写体の光学像を電気信号に変換し、その光学像の映像信号を出力する。
【００３７】
また、第２の光学系７の選択位置においては、図１２のように、板バネ８は、鍔部１２のカム斜面１２ｂからその法線方向であるＷ方向に反力を受け、保持手段５は、その−Ｘ方向の分力によって−Ｘ方向に付勢され、壁面１ｈに押圧される。この−Ｘ方向の付勢によって、保持手段５は、Ｘ方向について安定した姿勢でかつ高い精度で位置決めされる。
【００３８】
また、第２の光学系７の選択位置においても、図６にように、保持手段５はバネ９によって＋Ｙ方向および−Ｚ方向に付勢され、図７および図８のように、第１当接面５００と第１摺動面１００が密着するとともに、第２当接面５１０と第２摺動面１１０が密着することによって、撮像素子２と第２の光学系７とが対向する空間領域は撮像装置の外部から遮断され、上記の空間領域および撮像素子２上に塵埃などの異物が侵入することがない。また、保持手段５は、Ｙ方向およびＺ方向について安定した姿勢でかつ高い精度で位置決めされる。
【００３９】
以上のように本発明の実施の形態によれば、それぞれ保持手段５の第１当接面５００、第２当接面５１０がそれぞれベース１の第１摺動面１００、第２摺動面１１０に密着して移動する構成としたことにより、簡単かつ小型な構成で撮像素子２上への塵埃などの異物の進入を防止することができ、上記異物の進入に起因する画像劣化を回避することができる。
【００４０】
また、ベース１の表面１ｉに第１摺動面１００を形成するとともにベース１の側面１ｊに第２摺動面１１０を形成したことにより、装置の奥行き寸法を短縮することができる。
【００４１】
また、保持手段５が第１摺動面１００および第２摺動面１１０に押圧される方向に主軸４を付勢するバネ９を設けたことにより、第１当接面５００、第２当接面５１０を第１摺動面１００、第２摺動面１１０に確実に密着させることができるので、異物の進入を確実に防止できる。また、Ｙ方向およびＺ方向においての保持手段５の姿勢を安定させることができるので、保持手段５の位置決め精度を上げ、光軸の傾きおよび合焦性能の低下をなくすことができる。
【００４２】
また、開口部１１の外縁に、第１摺動面よりも突出した開口外縁部３００を形成したことにより、第１摺動面１００に塗布された潤滑剤などの異物の撮像素子２上への進入を防止することができ、上記異物の進入に起因する画像劣化を回避することができる。
【００４３】
また、主軸４の軸受を、上部が開放されたＵ溝１ａ，１ｂで形成したことにより、主軸４を挿通された保持手段５の組立性が向上する。
【００４４】
また、保持手段５の裏面５ｉを第１当接面とすることも可能ではあるが、裏面５ｉの周囲に、裏面５ｉよりも突出した第１当接面５００を形成したことにより、裏面５ｉを第１当接面とした場合よりも摺動抵抗を低減することができる。また、この第１当接面５００によって保持手段５の裏面５ｉのほぼ全体がベース１の第１摺動面１００に密着することと等価になるので、簡単な構成で、保持手段５の姿勢を安定させることができ、光軸の傾きおよび合焦性能の低下を抑えることができる。
【００４５】
なお、上記実施の形態においては、鍔部１２のカム斜面１２ｂ，１２ｃの角度を略４５度としたが、この角度は特に決められたものではなく、保持手段５の位置決め精度や鍔部１２の寸法などに応じて任意の角度に設定できる。
【００４６】
また、上記実施の形態においては、第１の光学系６の光路変換手段として、プリズム６ａを用いたが、ミラーを用いることも可能であり、光路が略９０度に変換されるものであれば、その他の手段を用いることもできる。
【００４７】
また、上記実施の形態においては、主軸４の付勢手段としてのバネ９にトーションバネを用いているが、トーションバネに限らず、板バネなどを用いることも可能である。同様に、移動ストロークの両端に位置決めするための手段として、板バネ８を用いているが、板バネに限らず、コイルバネなどを用いることも可能である。
【００４８】
【発明の効果】
以上説明したように本発明の請求項１記載の撮像装置によれば、ベース上面に、保持手段が密着して移動するための摺動面を形成したので、光学系切り替え式の撮像装置において、小型かつ簡単な構成で撮像素子上への塵埃などの異物の進入を防止することができ、上記異物の進入に起因する画像劣化を回避することができるという効果がある。
【００４９】
請求項２記載の撮像装置によれば、ベースの表面に第１摺動面を形成するとともにベースの側面に第２摺動面を形成したことにより、装置の奥行き寸法を短縮することができるという効果がある。
【００５０】
請求項３記載の撮像装置によれば、保持手段が第１摺動面および第２摺動面に押圧される方向に主軸を付勢する付勢手段を設けたことにより、光学系切り替え式の撮像装置において、当接面を摺動面に確実に密着させることができるので、異物の進入を確実に防止できるという効果がある。また、保持手段の姿勢を安定させることができるので、保持手段の位置決め精度を上げ、光軸の傾きおよび合焦性能の低下をなくすことができるという効果がある。
【００５１】
請求項４記載の撮像装置によれば、開口部の外縁を第１摺動面よりも突出させたことにより、第１摺動面に塗布された潤滑剤などの異物の撮像素子上への進入を防止することができ、上記異物の進入に起因する画像劣化を回避することができるという効果がある。
【図面の簡単な説明】
【図１】  本発明の実施の形態の撮像装置の構成を説明する分解斜視図である。
【図２】  本発明の実施の形態の撮像装置の構成を説明する分解斜視図である。
【図３】  図１および図２の保持手段の構成を説明する分解斜視図である。
【図４】  保持手段が第１の光学系の選択位置に位置決めされているときの本発明の実施の形態の撮像装置の外観斜視図である。
【図５】  保持手段が第２の光学系の選択位置に位置決めされているときの本発明の実施の形態の撮像装置の外観斜視図である。
【図６】  図４および図５においてのＬ方向の視断図である。
【図７】  図５においてのＮ方向の視断図である。
【図８】  図５においてのＭ方向の視断図である。
【図９】  図４においての第１の光学系と撮像素子の位置関係を説明する図である。
【図１０】  図５においての第２の光学系と撮像素子の位置関係を説明する図である。
【図１１】  図４においての保持手段の鍔部と板バネの位置関係を説明する図である。
【図１２】  図５においての保持手段の鍔部と板バネの位置関係を説明する図である。
【図１３】  従来の撮像装置の光学系切り替え動作を説明する斜視図である。
【図１４】  図１３の保持ユニットの駆動機構の分解斜視図である。
【図１５】  図１３の光学系および保持ユニットならびに図１４の駆動機構を収納するカメラブロックケースの分解斜視図である。
【符号の説明】
１  ベース、  ２  撮像素子、  ３  位置決め部材、  ４  主軸、  ５  保持手段、  ６  第１の光学系、  ７  第２の光学系、  ８  板バネ、  ９  バネ、１０  ホルダ、  １１  開口部、  １２  鍔部、  １００  第１摺動面、  １１０  第２摺動面、  ３００  外縁部、  ５００  第１当接面、  ５１０  第２当接面。
【図１】
0004439759.tif 000002
【図２】
0004439759.tif 000003
【図３】
0004439759.tif 000004
【図４】
0004439759.tif 000005
【図５】
0004439759.tif 000006
【図６】
0004439759.tif 000007
【図７】
0004439759.tif 000008
【図８】
0004439759.tif 000009
【図９】
0004439759.tif 000010
【図１０】
0004439759.tif 000011
【図１１】
0004439759.tif 000012
【図１２】
0004439759.tif 000013
【図１３】
0004439759.tif 000014
【図１４】
0004439759.tif 000015
【図１５】
0004439759.tif 000016